【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
スケーラブルワイヤレスデータサービス配信のための方法であって、
データサービスを受信すべきシンクコンピューティングデバイスをマルチキャストグループに、ソースコンピューティングデバイスによってグループ化するステップと、
前記データサービスのフレームをワイヤレスマルチキャスト送信を介して前記マルチキャストグループの中の前記シンクコンピューティングデバイスへ、前記ソースコンピューティングデバイスから送るステップと、
すべてのマルチキャストグループメンバー用のエラーログが受信されているかどうかを、前記ソースコンピューティングデバイスによって決定するステップと、
すべてのマルチキャストグループメンバー用のエラーログが受信されていないという決定に応答して、欠落エラーログに関連する1つまたは複数のマルチキャストグループメンバーをユニキャストグループおよび前記マルチキャストグループに、前記ソースコンピューティングデバイスによって追加するステップと、
前記ソースコンピューティングデバイスから前記データサービスの次のフレームを、ワイヤレスマルチキャスト送信およびそれぞれのワイヤレスユニキャスト送信を介して、前記ユニキャストグループおよび前記マルチキャストグループの両方に追加された前記1つまたは複数のマルチキャストグループメンバーに送るステップと、
を備える方法。
【請求項２】
任意のマルチキャストグループメンバーにとってのチャネル性能が許容できないことを受信エラーログが示すかどうかを、前記ソースコンピューティングデバイスによって決定するステップと、
そのようなマルチキャストグループメンバーにとってのチャネル性能が許容できないことを前記受信エラーログが示すという決定に応答して、許容できないチャネル性能に関連する任意のマルチキャストグループメンバーを前記ユニキャストグループおよび前記マルチキャストグループに、前記ソースコンピューティングデバイスによって追加するステップと
をさらに備える、請求項１に記載の方法。
【請求項３】
任意のユニキャストグループメンバーにとってのチャネル性能が許容できることを受信エラーログが示すかどうかを、前記ソースコンピューティングデバイスによって決定するステップと、
そのようなユニキャストグループメンバーにとってのチャネル性能が許容できることを前記受信エラーログが示すという決定に応答して、許容できるチャネル性能に関連する任意のグループメンバーを前記ユニキャストグループから、前記ソースコンピューティングデバイスによって除去するステップと
をさらに備える、請求項１に記載の方法。
【請求項４】
任意のマルチキャストグループメンバー用のチャネルのチャネル状態が許容できないことを受信エラーログが示すかどうかを、前記ソースコンピューティングデバイスによって決定するステップと、
そのマルチキャストグループメンバーにとっての前記チャネル状態が許容できないことを受信エラーログが示すという決定に応答して、そのようなマルチキャストグループメンバーに対して前記チャネルを解放する、または前記データサービスを格下げするステップと
をさらに備える、請求項１に記載の方法。
【請求項５】
チャネル帯域幅が前記ユニキャストグループの中のすべてのグループメンバーへのユニキャスト送信にとって利用可能であるかどうかを、前記ソースコンピューティングデバイスによって決定するステップと、
前記チャネル帯域幅が前記ユニキャストグループの中のすべてのグループメンバーへのユニキャスト送信にとって利用可能であるとは限らないという決定に応答して、チャネルを解放する、または前記データサービスを格下げするステップと
をさらに備える、請求項１に記載の方法。
【請求項６】
前記チャネル帯域幅が前記ユニキャストグループの中のすべてのグループメンバーへのユニキャスト送信にとって利用可能であるという決定に応答して、前記データサービスの前記次のフレームの送信のための時間に到達しているかどうかを、前記ソースコンピューティングデバイスによって決定するステップと、
前記次のフレームの送信のための時間に到達していないという決定に応答して、前記データサービスの前記フレームをそれぞれのワイヤレスユニキャスト送信を介して前記ユニキャストグループの中の前記シンクコンピューティングデバイスへ、前記ソースコンピューティングデバイスから再送信するステップと
をさらに備える、請求項５に記載の方法。
【請求項７】
前記チャネル帯域幅が前記ユニキャストグループの中のすべてのグループメンバーへのユニキャスト送信にとって利用可能であるという決定に応答して、前記データサービスの前記次のフレームを、ワイヤレスマルチキャスト送信を介して前記マルチキャストグループの中の前記シンクコンピューティングデバイスへ、またそれぞれのワイヤレスユニキャスト送信を介して前記ユニキャストグループの中の前記シンクコンピューティングデバイスへ、前記ソースコンピューティングデバイスから送るステップ
をさらに備える、請求項５に記載の方法。
【請求項８】
エラーログを前記ソースコンピューティングデバイスへ送るように前記シンクコンピューティングデバイスに指示する要求を、前記ソースコンピューティングデバイスから前記シンクコンピューティングデバイスへ送るステップ
をさらに備える、請求項１に記載の方法。
【請求項９】
ソースコンピューティングデバイスのプロセッサに動作を実行させるように構成されたプロセッサ実行可能命令を記憶した非一時的プロセッサ可読記憶媒体であって、前記動作が、
データサービスを受信すべきシンクコンピューティングデバイスをマルチキャストグループにグループ化することと、
前記データサービスのフレームをワイヤレスマルチキャスト送信を介して前記マルチキャストグループの中の前記シンクコンピューティングデバイスへ送ることと、
すべてのマルチキャストグループメンバー用のエラーログが受信されているかどうかを決定することと、
すべてのマルチキャストグループメンバー用のエラーログが受信されていないという決定に応答して、欠落エラーログに関連する1つまたは複数のマルチキャストグループメンバーをユニキャストグループおよび前記マルチキャストグループに追加することと、
前記データサービスの次のフレームを、ワイヤレスマルチキャスト送信およびそれぞれのワイヤレスユニキャスト送信を介して、前記ユニキャストグループおよび前記マルチキャストグループの両方に追加された前記1つまたは複数のマルチキャストグループメンバーに送ることと、
を備える、非一時的プロセッサ可読記憶媒体。
【請求項１０】
ソースコンピューティングデバイスであって、
データサービスを受信すべきシンクコンピューティングデバイスをマルチキャストグループにグループ化するための手段と、
前記データサービスのフレームをワイヤレスマルチキャスト送信を介して前記マルチキャストグループの中の前記シンクコンピューティングデバイスへ送るための手段と、
すべてのマルチキャストグループメンバー用のエラーログが受信されているかどうかを決定するための手段と、
すべてのマルチキャストグループメンバー用のエラーログが受信されていないという決定に応答して、欠落エラーログに関連する1つまたは複数のマルチキャストグループメンバーをユニキャストグループおよび前記マルチキャストグループに追加するための手段と、
前記データサービスの次のフレームを、ワイヤレスマルチキャスト送信およびそれぞれのワイヤレスユニキャスト送信を介して、前記ユニキャストグループおよび前記マルチキャストグループの両方に追加された前記1つまたは複数のマルチキャストグループメンバーに送る手段と、
を備えるソースコンピューティングデバイス。
【請求項１１】
任意のマルチキャストグループメンバーにとってのチャネル性能が許容できないことを受信エラーログが示すかどうかを決定するための手段と、
そのようなマルチキャストグループメンバーにとってのチャネル性能が許容できないことを前記受信エラーログが示すという決定に応答して、許容できないチャネル性能に関連する任意のマルチキャストグループメンバーを前記ユニキャストグループに追加するための手段と
をさらに備える、請求項１０に記載のソースコンピューティングデバイス。
【請求項１２】
任意のユニキャストグループメンバーにとってのチャネル性能が許容できることを受信エラーログが示すかどうかを決定するための手段と、
そのようなユニキャストグループメンバーにとってのチャネル性能が許容できることを前記受信エラーログが示すという決定に応答して、許容できるチャネル性能に関連する任意のユニキャストグループメンバーを前記ユニキャストグループから除去するための手段と
をさらに備える、請求項１０に記載のソースコンピューティングデバイス。
【請求項１３】
任意のマルチキャストグループメンバー用のチャネルのチャネル状態が許容できないことを受信エラーログが示すかどうかを決定するための手段と、
そのマルチキャストグループメンバーにとっての前記チャネル状態が許容できないことを受信エラーログが示すという決定に応答して、そのようなマルチキャストグループメンバーに対して前記チャネルを解放する、または前記データサービスを格下げするための手段と
をさらに備える、請求項１０に記載のソースコンピューティングデバイス。
【請求項１４】
チャネル帯域幅が前記ユニキャストグループの中のすべてのグループメンバーへのユニキャスト送信にとって利用可能であるかどうかを決定するための手段と、
前記チャネル帯域幅が前記ユニキャストグループの中のすべてのグループメンバーへのユニキャスト送信にとって利用可能であるとは限らないという決定に応答して、チャネルを解放する、または前記データサービスを格下げするための手段と
をさらに備える、請求項１０に記載のソースコンピューティングデバイス。
【請求項１５】
エラーログを前記ソースコンピューティングデバイスへ送るように前記シンクコンピューティングデバイスに指示する要求を、前記シンクコンピューティングデバイスへ送るための手段
をさらに備える、請求項１０に記載のソースコンピューティングデバイス。